(57)【要約】空気調和機は、送風ファン（５）と、ファンモータ（４）と、ケース本体（１）とを有し、緩衝部材（１１）を用いてファンモータ（４）がケース本体（１）に取り付けられている。緩衝部材（１１）がファンモータ（４）の取付部（１０）と嵌合し、ファンモータ（４）とケース本体（１）の間に介在してケース本体（１）に取り付けられた状態において、緩衝部材（１１）の外縁部は、取付部（１０）の外縁部よりも、ファンモータ（４）の中心軸からより遠い位置にある。
2005012800.tif 000002
【特許請求の範囲】
【請求項１】
送風ファンと、該送風ファンを駆動するファンモータと、ケース本体とを有し、緩衝部材を用いて前記ファンモータが前記ケース本体に取り付けられている空気調和機であって、
前記緩衝部材が前記ファンモータの取付部と嵌合し、前記ファンモータと前記空気調和機のケース本体の間に介在してケース本体に取り付けられた状態において、前記緩衝部材の外縁部が、前記取付部の外縁部よりも、前記ファンモータの中心軸からより遠い位置にある、ことを特徴とする空気調和機。
【請求項２】
さらに、前記送風ファン近傍にエアガイダが取付けられており、
前記緩衝部材と前記送風ファンとの距離が、前記エアガイダと前記送風ファンとの距離よりも短い、ことを特徴とする請求項１に記載の空気調和機。
【発明の詳細な説明】
【技術分野】  本発明は、ファンモータが緩衝部材を介してケース本体に取付けられた空気調和機に関する。
【背景技術】  従来の空気調和機の室内機の構成例（例えば、日本国公開特許公報  特開２０００−２５５６３９号参照）を図３に示す。図３において、空気調和機は、天井面に埋めこまれるケース本体１を備え、ケース本体１の下面中央には吸い込み口２が設けられ、下面周部には吹き出し口３が設けられている。ケース本体１内にはファンモータ４と、ファンモータ４の駆動軸により駆動される送風ファン５と、送風ファン５と吹き出し口３との間に配置された熱交換器６と、送風ファン５と吸い込み口２との間に設けられたエアガイダ７とが配置されている。ファンモータ４は、吸い込み口２と吹き出し口３とを結ぶ空気通路に設けられて吸い込み口２に対向し、上下方向の駆動軸を有する。
ファンモータ４は、ケース本体１の部分を構成する天井板１ａとファンモータ取付部１０との間に柔軟な合成ゴム等で成型されたゴムブッシング８を介し、取付部材であるネジ９にて天井板１ａに取り付けられる。
図４Ａないし図４Ｄは、ファンモータ４と送風ファン５との取付け状態を示す図である。図４Ａは、空気調和機内におけるファンモータ４、送風ファン５、および、エアガイダ７の関係を示している。また、図４Ｂも併せて参照すれば、台座１０と送風ファン５との間には、間隔が置かれており、図中では、それらは水平距離１０ａ、および、距離１０ｂとして示されている。また、送風ファン５とエアガイダ７外周部との間にも、間隔が置かれており、図中では、それは距離７ａとして示されている。
さらに、図４Ｃも併せて参照すれば、天井板１ａとファンモータ４は、ファンモータ取付け用の柔軟な緩衝部材８（ゴムブッシング等（図４Ｄ参照。））を介して連結されている。図４Ｃより明らかなように、従来技術では、取付部１０の外縁部が緩衝部材８の外縁部より外側に位置する。
【発明の開示】
（発明が解決しようとする技術的課題）
従来技術では、緩衝部材が、ケース本体の落下、振動衝撃などによって生じるファンモータおよび送風ファンの振動を完全に吸収することができない場合、送風ファンの揺動により取付部と送風ファンとが接触し、送風ファンに損傷を生じさせたり、天井板が変形したり、エアガイダが送風ファンと衝突して当該箇所が損傷する、等の問題点があった。
（その解決方法）
上記問題点を鑑み、本発明は、過酷な運送や、落下衝撃などによって生じるファンモータ、送風ファン等の振動に起因する、天井板、および、送風ファン等の損傷を回避、または、少なくとも軽減することを目的とする。また、落下、振動時にかかる送風ファンとファンモータへの衝撃を吸収する緩衝構造を低コストで設けた天井埋込型空気調和機の緩衝構造を提供する。
また本発明は、ファンモータと、送風ファンとを有する空気調和機であって、ファンモータの取付部と嵌合し、ファンモータと空気調和機のケース本体の間に介在してケース本体に取り付けられた状態において、緩衝部材の外縁部が、取付部の外縁部よりも、ファンモータの中心軸からより遠い位置にあることを特徴とする緩衝部材を用いてファンモータとケース本体とが取り付けられていることを特徴とする空気調和機を提供する。
さらに本発明は、さらに送風ファン近傍に取付けられたエアガイダを有し、緩衝部材と送風ファンとの距離が、エアガイダと送風ファンとの距離よりも短いことを特徴とする、請求項２に記載の空気調和機を提供する。
（従来技術より有効な効果）
本発明によれば、空気調和機本体の落下、振動衝撃によって送風ファン、エアガイダ等、衝突するおそれのある箇所が柔軟なブッシングの緩衝作用により保護され、よって当該箇所における損傷が低減されるという効果を奏する。
また、本発明は、天井埋込型空気調和機に含まれる他の部品等の追加を要せずに、ブッシング形状の変更のみで実施可能である。よって安価に本体落下衝撃等から天井埋込型空気調和機を保護する効果を奏する。
【図面の簡単な説明】  図１Ａは、本発明の天井埋込型空気調和機の横断面詳細図である。
図１Ｂは、図１Ａの要部拡大横断面図である。
図１Ｃは、図１Ａのファンモータの上面図である。
図１Ｄは、本発明にかかるゴムブッシングの上面図である。
図２は、図１に示されている実施の形態で使用される緩衝部材およびファンモータ取付部の斜視図である。
図３は、従来例の天井埋込型空気調和機の横断面図である。
図４Ａは、従来例の天井埋込型空気調和機の横断面詳細図である。
図４Ｂは、図４Ａの要部拡大横断面図である。
図４Ｃは、図４Ａのファンモータの上面図である。
図４Ｄは、従来例のゴムブッシングの上面図である。
【発明を実施するための最良の形態】  以下、本発明の実施の形態について図面を参照して説明する。
図１Ａおよび図１Ｂは本発明の天井埋込型空気調和機の室内機部分の断面図である。本実施形態の天井埋込型空気調和機は、図３に示した従来型天井埋込型空気調和機例と同様、天井面に埋めこまれるケース本体１（要部のみ図示）を備え、ケース本体１の下面中央には吸い込み口２が設けられ、下面周部には吹き出し口（図示せず）が設けられている。ケース本体１内にはファンモータ４と、ファンモータ４の駆動軸により駆動される送風ファン５と、送風ファン５と吹き出し口３との間に配置された熱交換器６と、送風ファン５と吸い込み口２との間に設けられたエアガイダ７とが配置されている。ファンモータ４は、吸い込み口２と吹き出し口３とを結ぶ空気通路に設けられて吸い込み口２に対向し、上下方向の駆動軸を有する。
ファンモータ４は、ケース本体１の部分を構成する天井板１ａとファンモータ取付部１０との間に柔軟な合成ゴム等で成型されたゴムブッシング１１を介して、取付部材であるネジ９を用いて天井板１ａに取り付けられる。
このように本実施形態の天井埋込型空気調和機の構成は、図３ならびに図４Ａないし図４Ｄに示した従来技術による天井埋込型空気調和機の構成と類似しているが、ゴムブッシング１１において相違点を有している。
本実施形態のゴムブッシング１１（図１Ｄ参照。）は、その外縁部がファンモータ４取付部台座１０の外縁部よりも大きくなるよう形成されている。図１Ｃに示すように、本実施形態では、柔軟なゴムブッシング１１の外縁部は、取付部１０の外縁部よりも外側にある。よって、落下等による衝撃によってファンモータ４、送風ファン５等に揺動が生じた場合であっても、送風ファン５はゴムブッシング１１と衝突するため、ファンモータ４との衝突は回避され、ゴムブッシング１１の緩衝作用により、送風ファン５の受ける衝撃は低減される。
以上のようなゴムブッシング１１を用いることにより、図１Ａおよび図１Ｂに示す、送風ファン５とゴムブッシング１１との水平距離１１ａおよび距離１１ｂはそれぞれ、図３ならびに図４Ａないし図４Ｄに示した従来例における水平距離１０ａおよび距離１０ｂよりも短くなる。
又、送風ファン５とエアガイダ７とが近接して配置される本実施形態にあっては、距離１１ｂを、送風ファン５とエアガイダ７との間の距離７ａと同等またはそれより小さく構成することが望ましい。なぜならば、距離１１ｂを距離７ａ以下にするすることにより、揺動による送風ファン５とエアガイダ７の衝突前に送風ファン５とゴムブッシング１１とが衝突するため、送風ファン５とエアガイダ７との衝突がゴムブッシング１１により間接的に回避されるからである。
さらに、水平距離１１ａを距離７ａと同等か、またはそれより小さくしてもよい。なぜならば、送風ファン５の形態は図示した形態に限定されず多様であり、また、振動衝撃による揺動形態もその衝撃の方向性によって多様であるため、水平距離１１ａを距離７ａ以下にすることで、より確実にエアガイダ７を衝突による損傷から防護できるようになるからである。
図２は、本実施の形態の柔軟なゴムブッシング１１の取付け形態を説明した図である。ゴムブッシング１１は、ファンモータ取付部台座１０に挿入するだけで容易に取り付けられる構成であり、ファンモータ取付部台座１０の周囲より外周が大きく台座１０の部分、および、外縁部を覆う形態を有する。ゴムブッシング１１がこのような構成を有するため、ケース本体１が落下等による衝撃を受けた場合であって、送風ファン５が上下左右に揺動しようとも、送風ファン５がファンモータ４の取付部台座１０と直接接触しない構成となっている。なお、ゴムブッシング１１の形状は、本図に示されている形態に限定されず、ファンモータ４や送風ファン５が揺動することで、送風ファン５が取付部１０と直接接触することが無いような形状であればよい。
以上の構成により、本実施の形態は、図１Ａおよび図１Ｂに示すようにファン５とエアガイダ７との距離７ａも水平距離１１ａ、距離１１ｂより同等又は大きく構成されている。上記従来例のように、ケース本体１の落下、振動衝撃などによって天井板１ａに変形が生じたり、送風ファン５がエアガイダ７に衝突して生じる当該箇所の損傷を、本実施形態では回避している。
なお、本実施形態においては、天井埋込型空気調和機について説明したが、本発明の思想は他の形式の空気調和機についても適用できることは言うまでもない。
産業上の利用の可能性
本発明は、ファンモータ取付用の緩衝部材によって送風ファン、エアガイダ等、揺動により衝突するおそれのある箇所をより確実に保護し、当該箇所における損傷を無くするという効果を有し、例えば、天井埋込型空気調和機に有用である。
2005012800.tif 000003
【図２】
2005012800.tif 000004
【図３】
2005012800.tif 000005
2005012800.tif 000006
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
送風ファンと、該送風ファンを駆動するファンモータと、ケース本体とを有し、緩衝部材を用いて前記ファンモータが前記ケース本体に取り付けられている空気調和機であって、
前記緩衝部材が前記ファンモータの取付部と嵌合し、前記ファンモータと前記空気調和機のケース本体の間に介在してケース本体に取り付けられた状態において、前記緩衝部材の外縁部が、前記取付部の外縁部よりも、前記ファンモータの中心軸からより遠い位置にある、ことを特徴とする空気調和機。
【請求項２】
さらに、前記送風ファン近傍にエアガイダが取付けられており、
前記緩衝部材と前記送風ファンとの距離が、前記エアガイダと前記送風ファンとの距離よりも短い、ことを特徴とする請求項１に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、ファンモータが緩衝部材を介してケース本体に取付けられた空気調和機に関する。
【背景技術】
【０００２】
従来の空気調和機の室内機の構成例（例えば、日本国公開特許公報  特開２０００−２５５６３９号参照）を図３に示す。図３において、空気調和機は、天井面に埋めこまれるケース本体１を備え、ケース本体１の下面中央には吸い込み口２が設けられ、下面周部には吹き出し口３が設けられている。ケース本体１内にはファンモータ４と、ファンモータ４の駆動軸により駆動される送風ファン５と、送風ファン５と吹き出し口３との間に配置された熱交換器６と、送風ファン５と吸い込み口２との間に設けられたエアガイダ７とが配置されている。ファンモータ４は、吸い込み口２と吹き出し口３とを結ぶ空気通路に設けられて吸い込み口２に対向し、上下方向の駆動軸を有する。
【０００３】
ファンモータ４は、ケース本体１の部分を構成する天井板１ａとファンモータ取付部１０との間に柔軟な合成ゴム等で成型されたゴムブッシング８を介し、取付部材であるネジ９にて天井板１ａに取り付けられる。
【０００４】
図４Ａないし図４Ｄは、ファンモータ４と送風ファン５との取付け状態を示す図である。図４Ａは、空気調和機内におけるファンモータ４、送風ファン５、および、エアガイダ７の関係を示している。また、図４Ｂも併せて参照すれば、台座１０と送風ファン５との間には、間隔が置かれており、図中では、それらは水平距離１０ａ、および、距離１０ｂとして示されている。また、送風ファン５とエアガイダ７外周部との間にも、間隔が置かれており、図中では、それは距離７ａとして示されている。
【０００５】
さらに、図４Ｃも併せて参照すれば、天井板１ａとファンモータ４は、ファンモータ取付け用の柔軟な緩衝部材８（ゴムブッシング等（図４Ｄ参照。））を介して連結されている。図４Ｃより明らかなように、従来技術では、取付部１０の外縁部が緩衝部材８の外縁部より外側に位置する。
【特許文献１】特開２０００−２５５６３９号公報
【発明の開示】
【発明が解決しようとする課題】
【０００６】
（発明が解決しようとする技術的課題）
従来技術では、緩衝部材が、ケース本体の落下、振動衝撃などによって生じるファンモータおよび送風ファンの振動を完全に吸収することができない場合、送風ファンの揺動により取付部と送風ファンとが接触し、送風ファンに損傷を生じさせたり、天井板が変形したり、エアガイダが送風ファンと衝突して当該箇所が損傷する、等の問題点があった。
【課題を解決するための手段】
【０００７】
（その解決方法）
上記問題点を鑑み、本発明は、過酷な運送や、落下衝撃などによって生じるファンモータ、送風ファン等の振動に起因する、天井板、および、送風ファン等の損傷を回避、または、少なくとも軽減することを目的とする。また、落下、振動時にかかる送風ファンとファンモータへの衝撃を吸収する緩衝構造を低コストで設けた天井埋込型空気調和機の緩衝構造を提供する。
【０００８】
また本発明は、ファンモータと、送風ファンとを有する空気調和機であって、ファンモータの取付部と嵌合し、ファンモータと空気調和機のケース本体の間に介在してケース本体に取り付けられた状態において、緩衝部材の外縁部が、取付部の外縁部よりも、ファンモータの中心軸からより遠い位置にあることを特徴とする緩衝部材を用いてファンモータとケース本体とが取り付けられていることを特徴とする空気調和機を提供する。
【０００９】
さらに本発明は、さらに送風ファン近傍に取付けられたエアガイダを有し、緩衝部材と送風ファンとの距離が、エアガイダと送風ファンとの距離よりも短いことを特徴とする、請求項２に記載の空気調和機を提供する。
【発明の効果】
【００１０】
（従来技術より有効な効果）
本発明によれば、空気調和機本体の落下、振動衝撃によって送風ファン、エアガイダ等、衝突するおそれのある箇所が柔軟なブッシングの緩衝作用により保護され、よって当該箇所における損傷が低減されるという効果を奏する。
【００１１】
また、本発明は、天井埋込型空気調和機に含まれる他の部品等の追加を要せずに、ブッシング形状の変更のみで実施可能である。よって安価に本体落下衝撃等から天井埋込型空気調和機を保護する効果を奏する。
【発明を実施するための最良の形態】
【００１２】
以下、本発明の実施の形態について図面を参照して説明する。
【００１３】
図１Ａおよび図１Ｂは本発明の天井埋込型空気調和機の室内機部分の断面図である。本実施形態の天井埋込型空気調和機は、図３に示した従来型天井埋込型空気調和機例と同様、天井面に埋めこまれるケース本体１（要部のみ図示）を備え、ケース本体１の下面中央には吸い込み口２が設けられ、下面周部には吹き出し口（図示せず）が設けられている。ケース本体１内にはファンモータ４と、ファンモータ４の駆動軸により駆動される送風ファン５と、送風ファン５と吹き出し口３との間に配置された熱交換器６と、送風ファン５と吸い込み口２との間に設けられたエアガイダ７とが配置されている。ファンモータ４は、吸い込み口２と吹き出し口３とを結ぶ空気通路に設けられて吸い込み口２に対向し、上下方向の駆動軸を有する。
【００１４】
ファンモータ４は、ケース本体１の部分を構成する天井板１ａとファンモータ取付部１０との間に柔軟な合成ゴム等で成型されたゴムブッシング１１を介して、取付部材であるネジ９を用いて天井板１ａに取り付けられる。
【００１５】
このように本実施形態の天井埋込型空気調和機の構成は、図３ならびに図４Ａないし図４Ｄに示した従来技術による天井埋込型空気調和機の構成と類似しているが、ゴムブッシング１１において相違点を有している。
【００１６】
本実施形態のゴムブッシング１１（図１Ｄ参照。）は、その外縁部がファンモータ４取付部台座１０の外縁部よりも大きくなるよう形成されている。図１Ｃに示すように、本実施形態では、柔軟なゴムブッシング１１の外縁部は、取付部１０の外縁部よりも外側にある。よって、落下等による衝撃によってファンモータ４、送風ファン５等に揺動が生じた場合であっても、送風ファン５はゴムブッシング１１と衝突するため、ファンモータ４との衝突は回避され、ゴムブッシング１１の緩衝作用により、送風ファン５の受ける衝撃は低減される。
【００１７】
以上のようなゴムブッシング１１を用いることにより、図１Ａおよび図１Ｂに示す、送風ファン５とゴムブッシング１１との水平距離１１ａおよび距離１１ｂはそれぞれ、図３ならびに図４Ａないし図４Ｄに示した従来例における水平距離１０ａおよび距離１０ｂよりも短くなる。
【００１８】
又、送風ファン５とエアガイダ７とが近接して配置される本実施形態にあっては、距離１１ｂを、送風ファン５とエアガイダ７との間の距離７ａと同等またはそれより小さく構成することが望ましい。なぜならば、距離１１ｂを距離７ａ以下にするすることにより、揺動による送風ファン５とエアガイダ７の衝突前に送風ファン５とゴムブッシング１１とが衝突するため、送風ファン５とエアガイダ７との衝突がゴムブッシング１１により間接的に回避されるからである。
【００１９】
さらに、水平距離１１ａを距離７ａと同等か、またはそれより小さくしてもよい。なぜならば、送風ファン５の形態は図示した形態に限定されず多様であり、また、振動衝撃による揺動形態もその衝撃の方向性によって多様であるため、水平距離１１ａを距離７ａ以下にすることで、より確実にエアガイダ７を衝突による損傷から防護できるようになるからである。
【００２０】
図２は、本実施の形態の柔軟なゴムブッシング１１の取付け形態を説明した図である。ゴムブッシング１１は、ファンモータ取付部台座１０に挿入するだけで容易に取り付けられる構成であり、ファンモータ取付部台座１０の周囲より外周が大きく台座１０の部分、および、外縁部を覆う形態を有する。ゴムブッシング１１がこのような構成を有するため、ケース本体１が落下等による衝撃を受けた場合であって、送風ファン５が上下左右に揺動しようとも、送風ファン５がファンモータ４の取付部台座１０と直接接触しない構成となっている。なお、ゴムブッシング１１の形状は、本図に示されている形態に限定されず、ファンモータ４や送風ファン５が揺動することで、送風ファン５が取付部１０と直接接触することが無いような形状であればよい。
【００２１】
以上の構成により、本実施の形態は、図１Ａおよび図１Ｂに示すようにファン５とエアガイダ７との距離７ａも水平距離１１ａ、距離１１ｂより同等又は大きく構成されている。上記従来例のように、ケース本体１の落下、振動衝撃などによって天井板１ａに変形が生じたり、送風ファン５がエアガイダ７に衝突して生じる当該箇所の損傷を、本実施形態では回避している。
【００２２】
なお、本実施形態においては、天井埋込型空気調和機について説明したが、本発明の思想は他の形式の空気調和機についても適用できることは言うまでもない。
【産業上の利用可能性】
【００２３】
本発明は、ファンモータ取付用の緩衝部材によって送風ファン、エアガイダ等、揺動により衝突するおそれのある箇所をより確実に保護し、当該箇所における損傷を無くするという効果を有し、例えば、天井埋込型空気調和機に有用である。
【図面の簡単な説明】
【００２４】
【図１Ａ】本発明の天井埋込型空気調和機の横断面詳細図である。
【図１Ｂ】図１Ａの要部拡大横断面図である。
【図１Ｃ】図１Ａのファンモータの上面図である。
【図１Ｄ】本発明にかかるゴムブッシングの上面図である。
【図２】図１に示されている実施の形態で使用される緩衝部材およびファンモータ取付部の斜視図である。
【図３】従来例の天井埋込型空気調和機の横断面図である。
【図４Ａ】従来例の天井埋込型空気調和機の横断面詳細図である。
【図４Ｂ】図４Ａの要部拡大横断面図である。
【図４Ｃ】図４Ａのファンモータの上面図である。
【図４Ｄ】従来例のゴムブッシングの上面図である。
【手続補正３】
【補正対象書類名】図面
【補正対象項目名】全図
【補正方法】変更
【補正の内容】
【図１Ａ】
2005012800.tif 000007
【図１Ｂ】
2005012800.tif 000008
【図１Ｃ】
2005012800.tif 000009
【図１Ｄ】
2005012800.tif 000010
【図２】
2005012800.tif 000011
【図３】
2005012800.tif 000012
【図４Ａ】
2005012800.tif 000013
【図４Ｂ】
2005012800.tif 000014
【図４Ｃ】
2005012800.tif 000015
【図４Ｄ】
2005012800.tif 000016
【国際調査報告】
2005012800.tif 000017
2005012800.tif 000018